(57)【要約】  本発明は、ホームケア製剤における一つ又は複数の活性物質を放出するためのキャリア材料；ホームケア製剤における一つ又は複数の活性物質を放出するための送達システム；一つ又は複数の活性物質を放出するための送達システムを含むホームケア製剤；ホームケア製剤における一つ又は複数の活性物質を放出するための送達システムを製造する方法；並びにホームケア製剤における一つ又は複数の活性物質を放出するための送達システムの使用に関する。【特許請求の範囲】
【請求項１】
ホームケア製剤における一つ又は複数の活性物質を放出するためのキャリア材料であって、前記キャリア材料が、窒素及びＩＳＯ  ９２７７：２０１０に基づくＢＥＴ法を用いて測定して、≧２５ｍ２／ｇの比表面積を有する炭酸マグネシウムからなる、キャリア材料。
【請求項２】
前記炭酸マグネシウムが、窒素及びＩＳＯ  ９２７７：２０１０に基づくＢＥＴ法を用いて測定して、２５〜１５０ｍ２／ｇ、好ましくは３５〜１２０ｍ２／ｇ、最も好ましくは３５〜１００ｍ２／ｇの範囲にある比表面積を有する、請求項１に記載のキャリア材料。
【請求項３】
前記炭酸マグネシウムが、水銀ポロシメトリー測定法から計算して、０．９〜２．３ｃｍ３／ｇ、好ましくは１．１〜２．１ｃｍ３／ｇ、最も好ましくは１．２〜２．０ｃｍ３／ｇの範囲にある粒子内圧入比細孔容積を有する、請求項１又は２に記載のキャリア材料。
【請求項４】
前記炭酸マグネシウムが、レーザー回折によって測定して、１〜７５μｍ、好ましくは１．２〜５０μｍ、より好ましくは１．５〜３０μｍ、さらにより好ましくは１．７〜１５μｍ、最も好ましくは１．９〜１０μｍの範囲にあるｄ５０（ｖｏｌ）を有する、請求項１から３までのいずれか一項に記載のキャリア材料。
【請求項５】
前記炭酸マグネシウムが、レーザー回折によって測定して、２〜１５０μｍ、好ましくは４〜１００μｍ、より好ましくは６〜８０μｍ、さらにより好ましくは８〜６０μｍ、最も好ましくは１０〜４０μｍの範囲にあるｄ９８（ｖｏｌ）を有する、請求項１から４までのいずれか一項に記載のキャリア材料。
【請求項６】
前記炭酸マグネシウムが、最大で１５０００ｐｐｍのＣａ２＋イオンを含有する、請求項１から５までのいずれか一項に記載のキャリア材料。
【請求項７】
ホームケア製剤における一つ又は複数の活性物質を放出するための送達システムであって、前記送達システムが、請求項１から６までのいずれか一項に記載のキャリア材料と、前記キャリア材料に担持された一つ又は複数の活性物質とを含む、送達システム。
【請求項８】
一つ又は複数の前記活性物質が、前記キャリア材料上に吸着され、かつ／又は前記キャリア材料中へ吸着され、かつ／又は前記キャリア材料中へ吸収されている、請求項７に記載の送達システム。
【請求項９】
一つ又は複数の前記活性物質が、２００４年３月３１日付けの欧州議会及び欧州理事会の洗剤に関する規則（ＥＣ）第６４８／２００４号に述べられている活性物質群から選択され、好ましくは、一つ又は複数の前記活性物質が、アニオン性界面活性剤、非イオン性界面活性剤、カチオン性界面活性剤、両性界面活性剤、リン酸塩、ホスホン酸塩、柔軟剤、金属イオン封鎖剤、ビルダー、加工助剤、酵素、酸素系漂白剤、塩素系漂白剤、スケール防止剤、錯化剤、分散剤、金属イオン封鎖剤、ニトリロ三酢酸及びその塩、フェノール、ハロゲン化フェノール、パラジクロロベンゼン、芳香族炭化水素、脂肪族炭化水素、ハロゲン化炭化水素、石鹸、ゼオライト、ポリカルボキシレート、殺菌剤、光学増白剤、消泡剤、着色剤、香料、並びにこれらの混合物を含む群から選択される、請求項７又は８に記載の送達システム。
【請求項１０】
前記送達システムが、前記キャリア材料の総重量を基準として、１０〜３００重量％、好ましくは４０〜２９０重量％、より好ましくは６０〜２８０重量％、最も好ましくは８０〜２６０重量％、例えば９０〜２００重量％の範囲の量で、一つ又は複数の前記活性物質を含む、請求項７から９までのいずれか一項に記載の送達システム。
【請求項１１】
前記送達システムが、粉末、錠剤、ペレット、又は顆粒、好ましくは粉末の形態である、請求項７から１０までのいずれか一項に記載の送達システム。
【請求項１２】
請求項７から１１までのいずれか一項に記載の一つ又は複数の活性物質を放出するための送達システムを含む、ホームケア製剤。
【請求項１３】
前記製剤が、液体、粉末、ペースト、ゲル、バー、ケーク、パウチ、又は成形片、例えば錠剤の形態である、請求項１２に記載のホームケア製剤。
【請求項１４】
前記製剤が、好ましくは洗濯物、布地、食器、及び硬質表面を清浄化するための洗浄用製剤；予洗浄用製剤；すすぎ用製剤；漂白用製剤；洗濯布地柔軟剤製剤；清浄化用製剤；並びにこれらの混合物から選択される、請求項１２又は１３に記載のホームケア製剤。
【請求項１５】
請求項７から１１までのいずれか一項に記載のホームケア製剤における一つ又は複数の活性物質を放出するための送達システムを製造する方法であって、以下の工程を含む方法：
（ａ）窒素及びＩＳＯ  ９２７７：２０１０に基づくＢＥＴ法を用いて測定して、≧２５ｍ２／ｇの比表面積を有する炭酸マグネシウムを提供すること、
（ｂ）液体の形態で、又は溶媒中に溶解した形態で、一つ又は複数の活性物質を提供すること、及び
（ｃ）工程（ａ）の前記炭酸マグネシウムを、工程（ｂ）の一つ又は複数の前記活性物質と接触させること。
【請求項１６】
ホームケア製剤における一つ又は複数の活性物質を放出するための、請求項７から１１までのいずれか一項に記載の送達システムの使用。
【請求項１７】
前記送達システムが、下記式（Ｉ）によって表される、≧５０％、好ましくは≧７２％、最も好ましくは≧８０％の、一つ又は複数の前記活性物質の放出効率を提供する、請求項１６に記載の使用：
【数１】
2021510752.tif 000010
【請求項１８】
前記放出効率が、１５分以内、好ましくは５分以内、そして最も好ましくは１分以内に達成される、請求項１７に記載の使用。
【発明の詳細な説明】
【技術分野】
【０００１】
本発明は、ホームケア製剤における一つ又は複数の活性物質を放出するためのキャリア材料、ホームケア製剤における一つ又は複数の活性物質を放出するための送達システム、一つ又は複数の活性物質を放出するための送達システムを含むホームケア製剤、ホームケア製剤における一つ又は複数の活性物質を放出するための送達システムを製造する方法、並びにホームケア製剤における一つ又は複数の活性物質を放出するための送達システムの使用に関する。
【背景技術】
【０００２】
炭酸マグネシウムは、当技術分野においてよく知られており、種々様々な形態、例えば、無水炭酸マグネシウム又はマグネサイト（ＭｇＣＯ３）、ハイドロマグネサイト（Ｍｇ５（ＣＯ３）４（ＯＨ）２・４Ｈ２Ｏ）、アルチナイト（Ｍｇ２（ＣＯ３）（ＯＨ）２・３Ｈ２Ｏ）、ジピンガイト（ｄｙｐｉｎｇｉｔｅ）（Ｍｇ５（ＣＯ３）４（ＯＨ）２・５Ｈ２Ｏ）、ギオルギオサイト（ｇｉｏｒｇｉｏｓｉｔｅ）（Ｍｇ５（ＣＯ３）４（ＯＨ）２・５Ｈ２Ｏ）、ポロブスカイト（ｐｏｋｒｏｖｓｋｉｔｅ）（Ｍｇ２（ＣＯ３）（ＯＨ）２・０．５Ｈ２Ｏ）、バリントナイト（ｂａｒｒｉｎｇｔｏｎｉｔｅ）（ＭｇＣＯ３・２Ｈ２Ｏ）、ランスフォルダイト（ｌａｎｓｆｏｒｄｉｔｅ）（ＭｇＣＯ３・５Ｈ２Ｏ）、及びネスケホナイト（ｎｅｓｑｕｅｈｏｎｉｔｅ）（ＭｇＣＯ３・３Ｈ２Ｏ）の形態で、天然に存在する。
【０００３】
天然の炭酸マグネシウムに加えて、合成炭酸マグネシウム（又は沈降炭酸マグネシウム）を調製することができる。例えば、欧州特許第０  ５２６  １２１号明細書には、炭酸カルシウム及び炭酸マグネシウム水酸化物からなる炭酸カルシウム−マグネシウム複合体、並びにその製造方法が記載されている。さらに、英国特許第５９４，２６２号明細書は、マグネシア含有材料を処理する方法及び装置に関し、この方法及び装置は、マグネシア含有材料、例えば、炭酸マグネシウム及び炭酸カルシウム材料を、それぞれの炭酸塩を個別に分離した形態で得るために処理し、それによって、この炭酸マグネシウム及び炭酸カルシウムを機械的手段によって分離することができ、かつ分離した生成物の特別な有用性を達成できるようになっている。
【０００４】
加えて、米国特許第１，３６１，３２４号明細書、米国特許第９３５，４１８号明細書、英国特許第５４８，１９７号明細書、及び英国特許５４４，９０７号明細書には、重炭酸マグネシウム（典型的には「Ｍｇ（ＨＣＯ３）２」と記される）の水溶液を形成し、次いでこれを塩基、例えば水酸化マグネシウムの作用によって変化させることにより、ハイドロマグネサイトを形成することが一般的に記載されている。当技術分野において記述されるその他のプロセスは、ハイドロマグネサイト及び水酸化マグネシウムの両方を含有する組成物を調製することを示唆しており、ここで、水酸化マグネシウムを水と混合することにより懸濁液を形成し、これをさらに二酸化炭素及び塩基性水溶液と接触させることによって相応の混合物を形成する。例えば米国特許第５，９７９，４６１号明細書を参照されたい。
【０００５】
さらに、炭酸マグネシウムをホームケア製剤において使用できることが知られている。例えば、米国特許第４，３０３，５４２号明細書は、家庭用洗濯機に使用するのに適した粉末洗剤に言及している。この洗剤は（１）ｐＨ１〜４の初期洗浄溶液を提供する酸性成分と、（２）約２〜２５分以内に酸性洗浄溶液を中和するコーティングしたアルカリ供給物質とを含有する。実施例の欄によれば、溶液は、１１０ｇの重硫酸ナトリウムと、２０ｇの炭酸マグネシウムと、固体に対する液体の比が１：３の３０ｇの非イオン性界面活性剤と、１３ｇのＢＷ  ７３８０とからなる。
【０００６】
しかしながら、ホームケア製剤において使用することができ、かつ特に高い担持能力を有するとともに、活性物質を担持したときに高い放出効率をもたらすキャリア材料を提供することが当技術分野において依然として必要である。さらに、液状活性物質を乾燥製剤の形態で提供することが必要である。
【発明の概要】
【発明が解決しようとする課題】
【０００７】
したがって、本発明の目的は、ホームケア製剤において活性物質を放出するのに適したキャリア材料を提供することである。さらに、高い担持能力を特徴とするキャリア材料を提供することが望ましい。さらに、活性物質を担持したときに高い放出効率を特徴とするキャリア材料を提供することが望まれる。乾燥製剤に特に適したキャリア材料を提供することも望まれる。活性物質を放出するための送達システムを製造する方法を提供することも望まれる。本発明の以下の説明からさらなる目的を収集することができる。
【課題を解決するための手段】
【０００８】
上記の目的及び他の目的は、独立請求項において、本明細書中に定義される主題によって解決される。
【０００９】
本発明の使用の有利な実施態様は、相応の従属請求項において定義される。
【００１０】
本出願の一態様によれば、ホームケア製剤における一つ又は複数の活性物質を放出するためのキャリア材料であって、このキャリア材料が、窒素及びＩＳＯ  ９２７７：２０１０に基づくＢＥＴ法を用いて測定して、≧２５ｍ２／ｇの比表面積を有する炭酸マグネシウムからなる、キャリア材料が提供される。
【００１１】
発明者らは驚くべきことに、上述のキャリア材料が、活性物質のための高い担持能力を有するとともに、活性物質を担持したときに高い放出効率をも有し、ひいてはホームケア製剤における一つ又は複数の活性物質を放出するための送達システムとして極めて適していることを見出した。さらに正確に述べるならば、発明者らは、窒素及びＩＳＯ  ９２７７：２０１０に基づくＢＥＴ法を用いて測定して、≧２５ｍ２／ｇの比表面積を有する炭酸マグネシウムからなるキャリア材料を含む送達システムを使用することによって、ホームケア製剤における活性物質の担持特性及び放出特性を改善し得ることを見出した。さらに、このキャリア材料は、多量の液状活性物質を担持するのに適しており、それによって、得られた送達システムが乾燥製剤にも適するようになっている。
【００１２】
一実施態様によれば、この炭酸マグネシウムは、窒素及びＩＳＯ  ９２７７：２０１０に基づくＢＥＴ法を用いて測定して、２５〜１５０ｍ２／ｇ、好ましくは３５〜１２０ｍ２／ｇ、そして最も好ましくは３５〜１００ｍ２／ｇの範囲にある比表面積を有する。
【００１３】
別の実施態様によれば、この炭酸マグネシウムは、水銀ポロシメトリー測定法から計算して、０．９〜２．３ｃｍ３／ｇ、好ましくは１．１〜２．１ｃｍ３／ｇ、そして最も好ましくは１．２〜２．０ｃｍ３／ｇの範囲にある粒子内圧入比細孔容積を有する。
【００１４】
さらに別の実施態様によれば、この炭酸マグネシウムは、レーザー回折によって測定して、１〜７５μｍ、好ましくは１．２〜５０μｍ、より好ましくは１．５〜３０μｍ、さらにより好ましくは１．７〜１５μｍ、そして最も好ましくは１．９〜１０μｍの範囲にあるｄ５０（ｖｏｌ）を有する。
【００１５】
一実施態様によれば、この炭酸マグネシウムは、レーザー回折によって測定して、２〜１５０μｍ、好ましくは４〜１００μｍ、より好ましくは６〜８０μｍ、さらにより好ましくは８〜６０μｍ、そして最も好ましくは１０〜４０μｍの範囲にあるｄ９８（ｖｏｌ）を有する。
【００１６】
別の実施態様によれば、この炭酸マグネシウムは、最大で１５０００ｐｐｍのＣａ２＋イオンを含有する。
【００１７】
本発明の別の態様によれば、ホームケア製剤における一つ又は複数の活性物質を放出するための送達システムであって、この送達システムが、本明細書中に定義されたキャリア材料と、このキャリア材料に担持された一つ又は複数の活性物質とを含む、送達システムが提供される。
【００１８】
一実施態様によれば、この一つ又は複数の活性物質は、このキャリア材料上へ吸着され、且つ／又はこのキャリア材料中へ吸着され、且つ／又はこのキャリア材料中へ吸収されている。
【００１９】
別の実施態様によれば、この一つ又は複数の活性物質が、２００４年３月３１日付けの欧州議会及び欧州理事会の洗剤に関する規則（ＥＣ）第６４８／２００４号に述べられている活性物質群から選択され、好ましくは、この一つ又は複数の活性物質が、アニオン性界面活性剤、非イオン性界面活性剤、カチオン性界面活性剤、両性界面活性剤、リン酸塩、ホスホン酸塩、柔軟剤、金属イオン封鎖剤、ビルダー、加工助剤、酵素、酸素系漂白剤、塩素系漂白剤、スケール防止剤、錯化剤、分散剤、金属イオン封鎖剤、ニトリロ三酢酸及びその塩、フェノール、ハロゲン化フェノール、パラジクロロベンゼン、芳香族炭化水素、脂肪族炭化水素、ハロゲン化炭化水素、石鹸、ゼオライト、ポリカルボキシレート、殺菌剤、光学増白剤、消泡剤、着色剤、香料、並びにこれらの混合物を含む群から選択される。
【００２０】
さらに別の実施態様によれば、この送達システムが、このキャリア材料の総重量を基準として、１０〜３００重量％、好ましくは４０〜２９０重量％、より好ましくは６０〜２８０重量％、そして最も好ましくは８０〜２６０重量％、例えば９０〜２００重量％の範囲の量で、この一つ又は複数の活性物質を含む。
【００２１】
一実施態様によれば、この送達システムは、粉末、錠剤、ペレット、又は顆粒、好ましくは粉末の形態である。
【００２２】
本発明のさらなる態様によれば、本明細書中に定義された一つ又は複数の活性物質を放出するための送達システムを含むホームケア製剤が提供される。
【００２３】
一実施態様によれば、この製剤は、液体、粉末、ペースト、ゲル、バー、ケーク、パウチ、又は成形片、例えば錠剤の形態である。
【００２４】
別の実施態様によれば、この製剤は、好ましくは洗濯物、布地、食器、及び硬質表面を清浄化するための洗浄用製剤；予洗浄用製剤；すすぎ用製剤；漂白用製剤；洗濯布地柔軟剤製剤；清浄化用製剤；並びにこれらの混合物である。
【００２５】
本発明のさらなる態様によれば、本明細書中に定義されたホームケア製剤における一つ又は複数の活性物質を放出するための送達システムを製造する方法が提供される。この方法は、以下の工程を含む：
（ａ）窒素及びＩＳＯ  ９２７７：２０１０に基づくＢＥＴ法を用いて測定して、≧２５ｍ２／ｇの比表面積を有する炭酸マグネシウムを提供すること、
（ｂ）液体の形態で、又は溶媒中に溶解した形態で、一つ又は複数の活性物質を提供すること、及び
（ｃ）工程（ａ）の炭酸マグネシウムを、工程（ｂ）の一つ又は複数の活性物質と接触させること。
【００２６】
本発明のさらなる態様によれば、ホームケア製剤における一つ又は複数の活性物質を放出するための、本明細書中に定義された送達システムの使用が提供される。
【００２７】
一実施態様によれば、この送達システムは、下記式（Ｉ）によって表される、≧５０％、好ましくは≧７２％、そして最も好ましくは≧８０％の、一つ又は複数の活性物質の放出効率を提供する：
【数１】
2021510752.tif 000002
【００２８】
別の実施態様によれば、上記放出効率が、１５分以内、好ましくは５分以内、そして最も好ましくは１分以内に達成される。
【００２９】
本発明の目的上、下記の用語は下記の意味を有すると理解されるべきである。
【００３０】
本出願全体を通して使用される、材料の「比表面積」（ｍ２／ｇで表される）は、吸着ガスとして窒素を用いたブルナウアー・エメット・テラー（ＢＥＴ）法によって、Ｍｉｃｒｏｍｅｒｉｔｉｃｓ製のＡＳＡＰ  ２４６０機器を使用することによって測定することができる。この方法は当業者によく知られており、ＩＳＯ  ９２７７：２０１０に定義されている。測定前に１２０分間にわたって真空下で、１００℃で試料を調製する。
【００３１】
体積によって測定されるメジアン粒径ｄ５０（ｖｏｌ）及び体積によって測定されるトップカット粒径ｄ９８を、Ｈｙｄｒｏ  ＬＶシステムを備えたマルバーンマスターサイザー３０００レーザー回折システム（Ｍａｌｖｅｒｎ  Ｍａｓｔｅｒｓｉｚｅｒ  ３０００  Ｌａｓｅｒ  Ｄｉｆｆｒａｃｔｉｏｎ  Ｓｙｓｔｅｍ（Ｍａｌｖｅｒｎ  Ｉｎｓｔｒｕｍｅｎｔｓ  Ｐｌｃ．、Ｇｒｅａｔ  Ｂｒｉｔａｉｎ））を使用して評価した。ｄ５０（ｖｏｌ）値又はｄ９８（ｖｏｌ）値は、粒子のそれぞれ５０体積％又は９８体積％がこの値未満の直径を有するような直径値を示す。粉末は０．１重量％のＮａ４Ｏ７Ｐ２溶液中に懸濁させた。１０ｍＬの０．１重量％Ｎａ４Ｏ７Ｐ２をＨｙｄｒｏ  ＬＶタンクに添加し、次いで試料スラリーを、１０〜２０％のオブスキュレーションに達するまで導入し、そしてシステムを１分間にわたって４０％設定で超音波処理した。それぞれ１０秒間にわたって赤色光及び青色光で測定を実施した。生データの分析のために、フラウンホーファー仮定を用いた非球体粒径モデルを利用し、かつ粒子屈折率１．５７、密度２．７０ｇ／ｃｍ３、及び吸収係数０．００５と仮定した。この方法及び機器は当業者に知られており、充填剤及び顔料の粒径分布を測定するために一般に用いられている。
【００３２】
比細孔容積は、０．００４μｍ（〜ｎｍ）のラプラス喉円直径と等価である水銀の最大適用圧力４１４ＭＰａ（６０  ０００ｐｓｉ）を有する、Ｍｉｃｒｏｍｅｒｉｔｉｃｓ  Ａｕｔｏｐｏｒｅ  Ｖ  ９６２０水銀ポロシメーターを使用する水銀圧入ポロシメトリー法を用いて測定される。それぞれの圧力段階で使用される平衡時間は２０秒である。試料材料は、分析のために３ｃｍ３の粉末貫通度計チャンバ内に密封する。データは、ソフトウェアＰｏｒｅ−Ｃｏｍｐを使用して、水銀圧縮、貫通度計の膨張、及び試料材料の圧縮に対応して補正される（Ｇａｎｅ，  Ｐ．Ａ．Ｃ．，  Ｋｅｔｔｌｅ，  Ｊ．Ｐ．，  Ｍａｔｔｈｅｗｓ，  Ｇ．Ｐ．及びＲｉｄｇｗａｙ，  Ｃ．Ｊ．，  「Ｖｏｉｄ  Ｓｐａｃｅ  Ｓｔｒｕｃｔｕｒｅ  ｏｆ  Ｃｏｍｐｒｅｓｓｉｂｌｅ  Ｐｏｌｙｍｅｒ  Ｓｐｈｅｒｅｓ  ａｎｄ  Ｃｏｎｓｏｌｉｄａｔｅｄ  Ｃａｌｃｉｕｍ  Ｃａｒｂｏｎａｔｅ  Ｐａｐｅｒ−Ｃｏａｔｉｎｇ  Ｆｏｒｍｕｌａｔｉｏｎｓ」，  Ｉｎｄｕｓｔｒｉａｌ  ａｎｄ  Ｅｎｇｉｎｅｅｒｉｎｇ  Ｃｈｅｍｉｓｔｒｙ  Ｒｅｓｅａｒｃｈ，  ３５（５），  １９９６，  ｐｐ．１７５３−１７６４）。
【００３３】
積算圧入データ中に見られる全細孔容積は、２０８μｍから約１〜４μｍに至るまでの侵入データを有する２つの領域に分離することができ、任意の凝集構造間の試料の粗い充填（パッキング）が強く寄与していることを示す。これらの直径未満では、粒子自体の微細な粒子間充填が存在する。これらの粒子が粒子内細孔をも有する場合には、この領域は二峰性であり、モードの転換地点よりも微細な、すなわち二峰性の変曲点よりも微細な細孔内へ水銀が侵入した比細孔容積をもってして、比粒子内細孔容積が定義される。これらの３つの領域の和は、粉末の合計の細孔容積全体を与えるが、もともとの試料の粉末の圧縮／分布の粗い細孔末端における粉末の沈殿に強く依存する。
【００３４】
積算侵入曲線の一次導関数を求めることにより、細孔遮蔽を必然的に含めた等価ラプラス直径に基づく細孔径分布が明らかになる。その微分曲線は、粗い凝集体の細孔構造領域、粒子間細孔領域、及び存在する場合には粒子内細孔領域を明示している。粒子内細孔径範囲がわかれば、残りの粒子間細孔容積及び凝集体間細孔容積を合計細孔容積から引き算することにより、単位質量あたりの細孔容積（比細孔容積）として、内部細孔の所望の細孔容積だけを得ることができる。もちろん、同じ引き算の原理は興味ある任意のその他の細孔径領域を分離する場合にも適用される。
【００３５】
単数名詞に言及するときに不定冠詞又は定冠詞、例えば「ａ」、「ａｎ」、又は「ｔｈｅ」が使用される場合、これは特に断りのない限り、その名詞の複数を含む。
【００３６】
「含む（ｃｏｍｐｒｉｓｉｎｇ）」という用語が本明細書及び特許請求の範囲において使用される場合、これは他の要素を排除するものではない。本発明の目的上、「からなる（ｃｏｎｓｉｓｔｉｎｇ  ｏｆ）」という用語は、用語「含む（ｃｏｍｐｒｉｓｉｎｇ）」の好ましい実施態様とみなされる。以下に、少なくとも所定の数の実施態様を含むように一つの群が定義される場合には、これはまた、好ましくはこれらの実施態様だけからなる一つの群を開示すると理解される。
【００３７】
「得ることができる（ｏｂｔａｉｎａｂｌｅ）」又は「定義することができる（ｄｅｆｉｎａｂｌｅ）」、及び「得られた（ｏｂｔａｉｎｅｄ）」又は「定義された（ｄｅｆｉｎｅｄ）」という用語は、互換的に使用される。これは例えば、文脈が他のことを明示しない限り、「得られた（ｏｂｔａｉｎｅｄ）」という用語が、例えばある実施態様が、例えば、用語「得られた（ｏｂｔａｉｎｅｄ）」に続く一連の工程によって得られなければならないことを示すことを意味するものではないが、このような限定的理解は、常に好ましい実施態様として、「得られた（ｏｂｔａｉｎｅｄ）」又は「定義された（ｄｅｆｉｎｅｄ）」という用語に常に含まれる、ことを意味する。
【００３８】
「含む（ｉｎｃｌｕｄｉｎｇ）」又は「有する（ｈａｖｉｎｇ）」という用語が使用される場合、これらの用語は上に定義された「含む（ｃｏｍｐｒｉｓｉｎｇ）」と同等のものであるとする。
【発明を実施するための形態】
【００３９】
本発明のキャリア材料の好ましい実施態様を以下に詳述する。これらの実施態様及び詳細は、本発明の製品、方法、及び用途にも当てはまるものと理解されるべきである。
【００４０】
キャリア材料
ホームケア製剤における一つ又は複数の活性物質を放出するためのキャリア材料は、窒素及びＩＳＯ  ９２７７：２０１０に基づくＢＥＴ法を用いて測定して、≧２５ｍ２／ｇの比表面積を有する炭酸マグネシウムからなる。
【００４１】
「炭酸マグネシウム」という用語は、材料の総乾燥重量を基準として少なくとも８０重量％、例えば少なくとも８５重量％、好ましくは８５〜１００重量％、より好ましくは９０〜９９．９５重量％の炭酸マグネシウムを含む材料を意味するものと理解される。したがって、炭酸マグネシウムはさらに、典型的には使用される材料の種類と関連する不純物を含んでもよいことに留意すべきである。例えば、炭酸マグネシウムは、さらに水酸化マグネシウム、水酸化カルシウム、炭酸カルシウム、及びこれらの混合物のような不純物を含んでいてよい。しかしながら、このような不純物は、材料の総乾燥重量を基準として、２０重量％未満、好ましくは１５重量％未満、そして最も好ましくは０．０５〜１０重量％の量で存在する。
【００４２】
炭酸マグネシウムは、天然に存在する炭酸マグネシウム、又は合成炭酸マグネシウムであってよい。例えば、炭酸マグネシウムは、マグネサイト（ＭｇＣＯ３）、ハイドロマグネサイト（Ｍｇ５（ＣＯ３）４（ＯＨ）２・４Ｈ２Ｏ）、アルチナイト（Ｍｇ２（ＣＯ３）（ＯＨ）２・３Ｈ２Ｏ）、ジピンガイト（ｄｙｐｉｎｇｉｔｅ）（Ｍｇ５（ＣＯ３）４（ＯＨ）２・５Ｈ２Ｏ）、ギルギオサイト（ｇｉｏｒｇｉｏｓｉｔｅ）（Ｍｇ５（ＣＯ３）４（ＯＨ）２・５Ｈ２Ｏ）、ポロブスカイト（ｐｏｋｒｏｖｓｋｉｔｅ）（Ｍｇ２（ＣＯ３）（ＯＨ）２・０．５Ｈ２Ｏ）、バリントナイト（ｂａｒｒｉｎｇｔｏｎｉｔｅ）（ＭｇＣＯ３・２Ｈ２Ｏ）、ランスフォルダイト（ｌａｎｓｆｏｒｄｉｔｅ）（ＭｇＣＯ３・５Ｈ２Ｏ）、及びネスケホナイト（ｎｅｓｑｕｅｈｏｎｉｔｅ）（ＭｇＣＯ３・３Ｈ２Ｏ）、並びにこれらの混合物を含む群から選択された、天然に存在する炭酸マグネシウム又は合成炭酸マグネシウムを含む。
【００４３】
好ましくは、炭酸マグネシウムは、マグネサイト（ＭｇＣＯ３）、ハイドロマグネサイト（Ｍｇ５（ＣＯ３）４（ＯＨ）２・４Ｈ２Ｏ）、アルチナイト（Ｍｇ２（ＣＯ３）（ＯＨ）２・３Ｈ２Ｏ）、ジピンガイト（ｄｙｐｉｎｇｉｔｅ）（Ｍｇ５（ＣＯ３）４（ＯＨ）２・５Ｈ２Ｏ）、ギルギオサイト（ｇｉｏｒｇｉｏｓｉｔｅ）（Ｍｇ５（ＣＯ３）４（ＯＨ）２・５Ｈ２Ｏ）、ポロブスカイト（ｐｏｋｒｏｖｓｋｉｔｅ）（Ｍｇ２（ＣＯ３）（ＯＨ）２・０．５Ｈ２Ｏ）、バリントナイト（ｂａｒｒｉｎｇｔｏｎｉｔｅ）（ＭｇＣＯ３・２Ｈ２Ｏ）、ランスフォルダイト（ｌａｎｓｆｏｒｄｉｔｅ）（ＭｇＣＯ３・５Ｈ２Ｏ）、ネスケホナイト（ｎｅｓｑｕｅｈｏｎｉｔｅ）（ＭｇＣＯ３・３Ｈ２Ｏ）、及びこれらの混合物を含む群から選択された合成炭酸マグネシウムを含む。例えば、炭酸マグネシウムは、マグネサイト（ＭｇＣＯ３）、ハイドロマグネサイト（Ｍｇ５（ＣＯ３）４（ＯＨ）２・４Ｈ２Ｏ）、アルチナイト（Ｍｇ２（ＣＯ３）（ＯＨ）２・３Ｈ２Ｏ）、ジピンガイト（ｄｙｐｉｎｇｉｔｅ）（Ｍｇ５（ＣＯ３）４（ＯＨ）２・５Ｈ２Ｏ）、ギルギオサイト（ｇｉｏｒｇｉｏｓｉｔｅ）（Ｍｇ５（ＣＯ３）４（ＯＨ）２・５Ｈ２Ｏ）、ポロブスカイト（ｐｏｋｒｏｖｓｋｉｔｅ）（Ｍｇ２（ＣＯ３）（ＯＨ）２・０．５Ｈ２Ｏ）、バリントナイト（ｂａｒｒｉｎｇｔｏｎｉｔｅ）（ＭｇＣＯ３・２Ｈ２Ｏ）、ランスフォルダイト（ｌａｎｓｆｏｒｄｉｔｅ）（ＭｇＣＯ３・５Ｈ２Ｏ）、ネスケホナイト（ｎｅｓｑｕｅｈｏｎｉｔｅ）（ＭｇＣＯ３・３Ｈ２Ｏ）、及びこれらの混合物を含む群から選択された合成炭酸マグネシウムを、材料の総乾燥重量を基準として少なくとも８０重量％、より好ましくは少なくとも８５重量％、さらにより好ましくは８５〜１００重量％、そして最も好ましくは９０〜９９．９５重量％の量で含む。
【００４４】
一実施態様では、炭酸マグネシウムは、合成ハイドロマグネサイト（Ｍｇ５（ＣＯ３）４（ＯＨ）２・４Ｈ２Ｏ）を含む。好ましくは、炭酸マグネシウムは、合成ハイドロマグネサイト（Ｍｇ５（ＣＯ３）４（ＯＨ）２・４Ｈ２Ｏ）を、材料の総乾燥重量を基準として少なくとも８０重量％、より好ましくは少なくとも８５重量％、さらにより好ましくは８５〜１００重量％、そして最も好ましくは９０〜９９．９５重量％の量で含む。
【００４５】
特に、窒素及びＩＳＯ  ９２７７：２０１０に基づくＢＥＴ法を用いて測定して、≧２５ｍ２／ｇの比表面積を有するキャリア材料は、活性物質のための高い担持能力を有するとともに、活性物質を担持したときに高い放出効率をも有することが見出された。したがって、このようなキャリア材料は、ホームケア製剤における一つ又は複数の活性物質を放出するための送達システムとして特に好適である。
【００４６】
このように、窒素及びＩＳＯ  ９２７７：２０１０に基づくＢＥＴ法を用いて測定して、炭酸マグネシウムが≧２５ｍ２／ｇの比表面積を有することが、本発明の１つの具体的要件である。炭酸マグネシウムは、窒素及びＩＳＯ  ９２７７：２０１０に基づくＢＥＴ法を用いて測定して、２５〜１５０ｍ２／ｇ、より好ましくは３５〜１２０ｍ２／ｇ、最も好ましくは３５〜１００ｍ２／ｇの範囲の比表面積を有することが好ましい。
【００４７】
さらに、炭酸マグネシウムは、高い粒子内圧入比細孔容積を有することが特に有利である。例えば、炭酸マグネシウムの粒子内圧入比細孔容積が、水銀圧入ポロシメトリー法から計算して、０．９〜２．３ｃｍ３／ｇの範囲にあることが好ましい。一実施態様では、炭酸マグネシウムの粒子内圧入比細孔容積は、水銀圧入ポロシメトリー法から計算して、１．１〜２．１ｃｍ３／ｇ、そして最も好ましくは１．２〜２．０ｃｍ３／ｇの範囲にある。
【００４８】
驚くべきことに、この炭酸マグネシウムの比表面積と細孔内構造との組み合わせにより、この炭酸マグネシウムは、比表面積がより小さく且つ／又は粒子内細孔容積がより小さい一般の炭酸マグネシウムと比較して、担持されるべき、そして経時的に放出されるべき活性物質のための優れたキャリア材料であることが見出された。さらに、この炭酸マグネシウムの比表面積と細孔内構造との組み合わせは、液状活性物質をキャリア材料に担持することを可能にし、それによって、得られた送達システムが乾燥製剤に適するようになっている。
【００４９】
一実施態様によれば、炭酸マグネシウムは、
（ａ）窒素及びＩＳＯ  ９２７７：２０１０に基づくＢＥＴ法を用いて測定して、≧２５ｍ２／ｇ、好ましくは２５〜１５０ｍ２／ｇ、より好ましくは３５〜１２０ｍ２／ｇ、そして最も好ましくは３５〜１００ｍ２／ｇの範囲にある比表面積、及び
（ｂ）水銀ポロシメトリー測定法から計算して、０．９〜２．３ｃｍ３／ｇ、好ましくは１．１〜２．１ｃｍ３／ｇ、そして最も好ましくは１．２〜２．０ｃｍ３／ｇの範囲にある粒子内圧入比細孔容積、
を有する。
【００５０】
好ましくは、炭酸マグネシウムは、窒素及びＩＳＯ  ９２７７：２０１０に基づくＢＥＴ法を用いて測定して、３５〜１００ｍ２／ｇの範囲にある比表面積と、水銀ポロシメトリー測定法から計算して、１．２〜２．０ｃｍ３／ｇの範囲にある粒子内圧入比細孔容積とを有する。
【００５１】
炭酸マグネシウムは粒子状材料の形態であり、かつ製造されるべき製品の種類に関与する材料のために従来から採用されている粒径分布を有していてよい。一般的に、炭酸マグネシウムは、レーザー回折によって測定して、１〜７５μｍの範囲のｄ５０（ｖｏｌ）を有することが好ましい。例えば、炭酸マグネシウムのｄ５０（ｖｏｌ）は、レーザー回折によって測定して、１．２〜５０μｍ、より好ましくは１．５〜３０μｍ、さらにより好ましくは１．７〜１５μｍ、そして最も好ましくは１．９〜１０μｍの範囲にある。
【００５２】
これに加えて、又はこの代わりに、炭酸マグネシウムは、レーザー回折によって測定して、２〜１５０μｍの範囲のｄ９８（ｖｏｌ）を有する。例えば、炭酸マグネシウムのｄ９８（ｖｏｌ）は、レーザー回折によって測定して、４〜１００μｍ、より好ましくは６〜８０μｍ、さらにより好ましくは８〜６０μｍ、そして最も好ましくは１０〜４０μｍの範囲にある。
【００５３】
したがって、炭酸マグネシウムは、好ましくは、
（ａ）レーザー回折によって測定して、１〜７５μｍ、好ましくは１．２〜５０μｍ、より好ましくは１．５〜３０μｍ、さらにより好ましくは１．７〜１５μｍ、そして最も好ましくは１．９〜１０μｍの範囲にあるｄ５０（ｖｏｌ）、及び
（ｂ）レーザー回折によって測定して、２〜１５０μｍ、好ましくは４〜１００μｍ、より好ましくは６〜８０μｍ、さらにより好ましくは８〜６０μｍ、そして最も好ましくは１０〜４０μｍの範囲にあるｄ９８（ｖｏｌ）、
を有する。
【００５４】
一実施態様では、炭酸マグネシウムは、レーザー回折によって測定して、１．９〜１０μｍの範囲にあるｄ５０（ｖｏｌ）と、レーザー回折によって測定して、１０〜４０μｍの範囲にあるｄ９８（ｖｏｌ）とを有する。
【００５５】
高い担持能力を有するとともに、活性物質を担持したときに高い放出効率をも有するキャリア材料を得るために、炭酸マグネシウムが、
（ａ）窒素及びＩＳＯ  ９２７７：２０１０に基づくＢＥＴ法を用いて測定して、≧２５ｍ２／ｇ、好ましくは２５〜１５０ｍ２／ｇ、より好ましくは３５〜１２０ｍ２／ｇ、そして最も好ましくは３５〜１００ｍ２／ｇの範囲にある比表面積、及び
（ｂ）水銀ポロシメトリー測定法から計算して、０．９〜２．３ｃｍ３／ｇ、好ましくは１．１〜２．１ｃｍ３／ｇ、そして最も好ましくは１．２〜２．０ｃｍ３／ｇの範囲にある粒子内圧入比細孔容積、及び
（ｃ）レーザー回折によって測定して、１〜７５μｍ、好ましくは１．２〜５０μｍ、より好ましくは１．５〜３０μｍ、さらにより好ましくは１．７〜１５μｍ、そして最も好ましくは１．９〜１０μｍの範囲にあるｄ５０（ｖｏｌ）、及び／又は
（ｄ）レーザー回折によって測定して、２〜１５０μｍ、好ましくは４〜１００μｍ、より好ましくは６〜８０μｍ、さらにより好ましくは８〜６０μｍ、そして最も好ましくは１０〜４０μｍの範囲にあるｄ９８（ｖｏｌ）、
を有することが特に好ましい。
【００５６】
好ましくは、炭酸マグネシウムは、
（ａ）窒素及びＩＳＯ  ９２７７：２０１０に基づくＢＥＴ法を用いて測定して、≧２５ｍ２／ｇ、好ましくは２５〜１５０ｍ２／ｇ、より好ましくは３５〜１２０ｍ２／ｇ、そして最も好ましくは３５〜１００ｍ２／ｇの範囲にある比表面積、及び
（ｂ）水銀ポロシメトリー測定法から計算して、０．９〜２．３ｃｍ３／ｇ、好ましくは１．１〜２．１ｃｍ３／ｇ、そして最も好ましくは１．２〜２．０ｃｍ３／ｇの範囲にある粒子内圧入比細孔容積、及び
（ｃ）レーザー回折によって測定して、１〜７５μｍ、好ましくは１．２〜５０μｍ、より好ましくは１．５〜３０μｍ、さらにより好ましくは１．７〜１５μｍ、そして最も好ましくは１．９〜１０μｍの範囲にあるｄ５０（ｖｏｌ）、及び
（ｄ）レーザー回折によって測定して、２〜１５０μｍ、好ましくは４〜１００μｍ、より好ましくは６〜８０μｍ、さらにより好ましくは８〜６０μｍ、そして最も好ましくは１０〜４０μｍの範囲にあるｄ９８（ｖｏｌ）、
を有する。
【００５７】
一実施態様では、炭酸マグネシウムは、
（ａ）窒素及びＩＳＯ  ９２７７：２０１０に基づくＢＥＴ法を用いて測定して、３５〜１００ｍ２／ｇの範囲にある比表面積、及び
（ｂ）水銀ポロシメトリー測定法から計算して、１．２〜２．０ｃｍ３／ｇの範囲にある粒子内圧入比細孔容積、及び
（ｃ）レーザー回折によって測定して、１．９〜１０μｍの範囲にあるｄ５０（ｖｏｌ）、及び
（ｄ）レーザー回折によって測定して、１０〜４０μｍの範囲にあるｄ９８（ｖｏｌ）
を有する。
【００５８】
キャリア材料は、炭酸マグネシウムからなることが１つの要件である。すなわち、キャリア材料は、炭酸マグネシウムを、キャリア材料の総乾燥重量を基準として、少なくとも９６．０重量％、好ましくは９６．０〜１００重量％、より好ましくは９９．０〜９９．９９重量％、そして最も好ましくは９９．３〜９９．８重量％の量で含有する。
【００５９】
一実施態様では、炭酸マグネシウムは、最大で１５０００ｐｐｍのＣａ２＋イオンを含有する。例えば炭酸マグネシウムは、最大で１００００ｐｐｍ、より好ましくは最大で５０００ｐｐｍ、そして最も好ましくは最大で２０００ｐｐｍのＣａ２＋イオンを含有する。
【００６０】
炭酸マグネシウムによっては、この炭酸マグネシウムは、好ましくは、炭酸マグネシウムの総乾燥重量を基準として、０．０１〜２０重量％、好ましくは０．０１〜１５重量％、より好ましくは０．０２〜１２重量％、そして最も好ましくは０．０４〜１０重量％の残留総含水量を有している。総含水量は、結晶水並びに遊離水を含むものと理解される。
【００６１】
送達システム
さらなる態様によれば、ホームケア製剤における一つ又は複数の活性物質を放出するための送達システムが提供される。送達システムが、本明細書中に定義されたキャリア材料と、このキャリア材料に担持された一つ又は複数の活性物質とを含むことが必要とされる。
【００６２】
キャリア材料の定義及びキャリア材料の好ましい実施態様に関しては、本発明のキャリア材料の技術的詳細を論じたときに上に示した記載内容が参照される。
【００６３】
したがって、ホームケア製剤における一つ又は複数の活性物質を放出するための送達システムは、以下を含む：
（ａ）窒素及びＩＳＯ  ９２７７：２０１０に基づくＢＥＴ法を用いて測定して、≧２５ｍ２／ｇの比表面積を有する炭酸マグネシウムからなるキャリア材料、及び
（ｂ）このキャリア材料に担持された一つ又は複数の活性物質。
【００６４】
したがって、本発明の一つの要件は、キャリア材料に一つ又は複数の活性物質が担持されることである。
【００６５】
一つ又は複数の活性物質は、１つの種類の活性物質であってよいと理解される。あるいは、この一つ又は複数の活性物質は、２つ又はこれを超える種類の活性物質の混合物であってもよい。例えば、この一つ又は複数の活性物質は、２つ又は３つの種類の活性物質、例えば２つの種類の活性物質の混合物であってよい。
【００６６】
本発明の一実施態様では、一つ又は複数の活性物質は、１つの種類の活性物質である。
【００６７】
本発明の意味における「活性物質」という用語は、ホームケア製剤において特定の効果を有する物質を意味する。
【００６８】
一般的に、この一つ又は複数の活性物質は、ホームケア製剤のために知られた任意の種類の活性物質であってよい。例えば、この一つ又は複数の活性物質は、２００４年３月３１日付けの欧州議会及び欧州理事会の洗剤に関する規則（ＥＣ）第６４８／２００４号に述べられている活性物質群から選択される。
【００６９】
一実施態様では、一つ又は複数の活性物質は、アニオン性界面活性剤、非イオン性界面活性剤、カチオン性界面活性剤、両性界面活性剤、リン酸塩、ホスホン酸塩、柔軟剤、金属イオン封鎖剤、ビルダー、加工助剤、酵素、酸素系漂白剤、塩素系漂白剤、スケール防止剤、錯化剤、分散剤、金属イオン封鎖剤、ニトリロ三酢酸及びその塩、フェノール、ハロゲン化フェノール、パラジクロロベンゼン、芳香族炭化水素、脂肪族炭化水素、ハロゲン化炭化水素、石鹸、ゼオライト、ポリカルボキシレート、殺菌剤、光学増白剤、消泡剤、着色剤、香料、並びにこれらの混合物を含む群から選択される。好ましくは、一つ又は複数の活性物質は、アニオン性界面活性剤、非イオン性界面活性剤、カチオン性界面活性剤、両性界面活性剤、リン酸塩、ホスホン酸塩、及びこれらの混合物を含む群から選択される。より好ましくは、一つ又は複数の活性物質は、アニオン性界面活性剤、非イオン性界面活性剤、カチオン性界面活性剤、両性界面活性剤、及びこれらの混合物を含む群から選択される。すなわち、一つ又は複数の活性物質は、界面活性剤から選択されることが好ましい。
【００７０】
「界面活性剤」という用語は、界面活性特性を有する任意の物質及び／又は任意の物質の混合物であって、かつ水の表面張力を低減することができ、水−空気界面に拡散した又は吸着した単分子層を形成することができ、エマルション及び／又はマイクロエマルション及び／又はミセルを形成することができ、そして水−固体界面で吸着することができるような性質及び大きさを有する一つ又は複数の親水性基と一つ又は複数の疎水性基からなる任意の物質及び／又は任意の物質の混合物を意味するものと理解される。
【００７１】
ホームケア製剤に適したアニオン性界面活性剤は、調製されるべき製剤の種類のために知られている任意のアニオン性界面活性剤であってよい。例えば、アニオン性界面活性剤は、アルカンスルホネート、オレフィンスルホネート、脂肪酸エステルスルホネート、例えばメチル又はエチルエステルスルホネート、アルキルホスホネート、アルキルエーテルホスホネート、タウレート、アルキルエーテルカルボキシレート、Ｃ８−Ｃ２２アルキルスルフェート、Ｃ８−Ｃ２２アルキルベンゼンスルフェート及びこれらの塩、Ｃ８−Ｃ２２アルキルアルコキシスルフェート及びこれらの塩、例えばナトリウムラウリルエーテルスルフェート、Ｃ１２−Ｃ２２メチルエステルスルホネート及びこれらの塩、Ｃ１２−Ｃ２２アルキルベンゼンスルホネート及びこれらの塩、例えばナトリウムドデシルベンゼンスルホネート、Ｃ１２−Ｃ２２脂肪酸石鹸及びこれらの塩、並びにこれらの混合物を含む群から選択される。
【００７２】
ホームケア製剤に適した非イオン性界面活性剤は、調製されるべき製剤の種類のために知られている任意の非イオン性界面活性剤であってよい。例えば、非イオン性界面活性剤は、Ｃ８−Ｃ２２アルキルエトキシレート、Ｃ６−Ｃ１２アルキルフェノールアルコキシレート、アルキル多糖、アルキルポリグルコシド界面活性剤、グルカミド、メチルエステルアルコキシレート、アルコキシル化アルコール、例えばアルコキシル化Ｃ１２−Ｃ２２アルコール、脂肪アルコールアルコキシレート、任意には変性脂肪アルコールアルコキシレート、エトキシル化又はプロポキシル化ソルビタンエステル、ポリヒドロキシ脂肪酸アミド、ラムノリピッド、グルコースリピッド、リポペプチド、及びこれらの混合物を含む群から選択される。
【００７３】
ホームケア製剤に適したカチオン性界面活性剤は、調製されるべき製剤の種類のために知られている任意のカチオン性界面活性剤であってよい。例えば、有用なカチオン性界面活性剤は、脂肪アミン、第四級アンモニウム界面活性剤、エステルクォート（ｅｓｔｅｒｑｕａｔｓ）、すなわち四級化脂肪酸界面活性剤、及びこれらの混合物から選択することができる。
【００７４】
ホームケア製剤に適した両性界面活性剤は、調製されるべき製剤の種類のために知られている任意の両性界面活性剤であってよい。例えば、両性界面活性剤は、第二級又は第三級アミンの脂肪族誘導体及び／又は複素環式第二級又は第三級アミンの脂肪族誘導体であって、脂肪族基が直鎖状又は分枝状であってよい誘導体から選択することができる。
【００７５】
一実施態様では、一つ又は複数の活性物質は、当技術分野においてよく知られている柔軟剤である。例えば柔軟剤は、マレイン酸とアクリル酸とのコポリマーのナトリウム塩である。
【００７６】
別の実施態様では、一つ又は複数の活性物質は、当技術分野においてよく知られているスケール防止剤である。例えばスケール防止剤は、アクリル酸ホモポリマーのナトリウム塩である。
【００７７】
別の実施態様では、一つ又は複数の活性物質は、当技術分野においてよく知られている錯化剤である。例えば錯化剤は、四ナトリウムエチドロネート（Ｎａ４ＨＥＤＰ）、エチレンジアミン四酢酸（ＥＤＴＡ）、及びこれらの混合物を含む群から選択される。
【００７８】
別の実施態様では、一つ又は複数の活性物質は、当技術分野においてよく知られている金属イオン封鎖剤である。例えば金属イオン封鎖剤は、ナトリウムメチルグリシンジアセテート、四ナトリウムエチドロネート（Ｎａ４ＨＥＤＰ）、エチレンジアミン四酢酸（ＥＤＴＡ）、及びこれらの混合物を含む群から選択される。
【００７９】
ホームケア製剤に添加されるこの一つ又は複数の活性物質は、種々異なる機能を有していてよいと理解される。例えば、ナトリウムメチルグリシンジアセテートがホームケア製剤に添加される場合には、これはビルダーとして機能することもできる。
【００８０】
別の実施態様では、一つ又は複数の活性物質は、当技術分野においてよく知られている分散剤である。例えば、分散剤は、ポリエチレングリコール、例えばモル質量が２０００〜１００００ｇ／ｍｏｌ、好ましくは約４０００ｇ／ｍｏｌのポリエチレングリコールであってよい。
【００８１】
ホームケア製剤は酵素を含んでもよい。ホームケア製剤に適した酵素は、調製されるべき製剤の種類のために知られている任意の酵素であってよい。例えば、好適な酵素は、ヘミセルラーゼ、ペルオキシダーゼ、プロテアーゼ、リパーゼ、ホスホリパーゼ、エステラーゼ、レダクターゼ、オキシダーゼ、オキシゲナーゼ、リポキシゲナーゼ、ハロペルオキシダーゼ、アミラーゼ、及びこれらの混合物を含む群から選択される。
【００８２】
ホームケア製剤のための光学増白剤は、調製されるべき製剤の種類のために知られている任意の光学増白剤であってよい。好適な光学増白剤の例は、スチルベン又は４，４’−ジアミノスチルベン、ビフェニル、５員複素環、例えばトリアゾール、オキサゾール、イミジアゾール、及びこれに類するもの、又は６員複素環、例えばクマリン、ナフタルアミド、ｓ−トリアジン、及びこれに類するものの誘導体を含む。
【００８３】
しかしながら、いくつかの制限があり、つまり、本発明の対象から排除される制限がある。したがって、キャリア材料と反応する活性物質、例えば酸性物質は、キャリア材料に担持されるのに適さないことがある。他方において、例えば酸性物質のマグネシウム塩が必要とされるか又は有益である場合には、酸性物質も有利に使用されてよい。ある特定の酸性レベルが、キャリア材料の表面への担持を促進することもできる。
【００８４】
一つ又は複数の活性物質は、本明細書中に定義されたキャリア材料に担持される。担持は、好ましくはキャリア材料の表面上への吸着、すなわち、材料の外面又は内面上への吸着、又はキャリア材料内への吸収であり、これはキャリア材料の多孔性に基づいて可能となる。
【００８５】
この点に関して、炭酸マグネシウムの有利な大きい比表面積と大きい粒子内圧入比細孔容積との組み合わせにより、この材料は、比表面積がより小さくかつ／又は粒子内圧入比細孔容積がより小さい一般のキャリア材料と比較して、予め担持された活性物質を経時的に放出するための優れたキャリア材料であると考えられる。
【００８６】
このように、一つ又は複数の活性物質が、このキャリア材料上へ吸着され、かつ／又は前記キャリア材料中へ吸着され、かつ／又は前記キャリア材料中へ吸収される。
【００８７】
すでに述べたように、送達システムは、本明細書中に定義されたキャリア材料と、キャリア材料に担持された一つ又は複数の活性物質とを含む。
【００８８】
キャリア材料に担持された一つ又は複数の活性物質の量は、活性物質及び所期用途に依存する。通常、送達システムは、キャリア材料の総重量を基準として、１０〜３００重量％の範囲の量で、一つ又は複数の活性物質を含む。
【００８９】
例えば、送達システムは、キャリア材料の総重量を基準として、４０〜２９０重量％、より好ましくは６０〜２８０重量％、そして最も好ましくは８０〜２６０重量％の範囲の量で、一つ又は複数の活性物質を含む。
【００９０】
送達システムが、キャリア材料の総重量を基準として、９０〜２００重量％の範囲の量で一つ又は複数の活性物質を含むことが好ましい。
【００９１】
送達システムは、製造されるべき製品の種類に関与する材料のために従来から採用されている任意の形態で提供することができる。キャリア材料は、粒子状材料の形態であると理解される。本出願の意味における「粒子状（ｐａｒｔｉｃｕｌａｔｅ）」という用語は、複数の粒子からなる材料を意味する。
【００９２】
このように、送達システムは、好ましくは、粉末、錠剤、ペレット、又は顆粒の形態である。より好ましくは、送達システムは粉末の形態である。これらの製剤のこのような形態及び方法は当技術分野によく知られており、本出願においてさらに詳しく説明する必要はない。
【００９３】
ホームケア製剤
別の態様によれば、ホームケア製剤が提供される。このホームケア製剤が、本明細書中に定義された一つ又は複数の活性物質を放出するための送達システムを含むことが必要とされる。
【００９４】
送達システムの定義及び送達システムの好ましい実施態様に関しては、本発明の送達システムの技術的詳細を論じたときに上に示した記載内容が参照される。
【００９５】
本発明の一つの要件は、ホームケア製剤が本明細書中に定義された送達システムを含むことである。
【００９６】
したがって、ホームケア製剤は、ホームケア製剤における一つ又は複数の活性物質を放出するための送達システムを含み、そのキャリアが、以下を含む：
（ａ）窒素及びＩＳＯ  ９２７７：２０１０に基づくＢＥＴ法を用いて測定して、≧２５ｍ２／ｇの比表面積を有する炭酸マグネシウムからなるキャリア材料、及び
（ｂ）このキャリア材料に担持された一つ又は複数の活性物質。
【００９７】
ホームケア製剤は、調製されるべき製剤のために知られている任意の形態であってよい。例えば、ホームケア製剤は、液体、粉末、ペースト、ゲル、バー、ケーク、パウチ、又は成形片、例えば錠剤の形態である。
【００９８】
このように、ホームケア製剤は、乾燥製剤又は注ぐことが可能な液状製剤であってよい。
【００９９】
本発明の意味における「乾燥」製剤という用語は、２３℃及び１ｂａｒで注ぐことが可能な固形物である製剤を意味する。このように、乾燥ホームケア製剤は、好ましくは、粉末、バー、ケーク、又は成形片、例えば錠剤の形態である。
【０１００】
成形片は、調製されるべき製剤の種類において使用されるのに適した任意の形状又は形態を有していてよい。例えば成形片は錠剤であってよい。
【０１０１】
言うまでもなく、本発明の送達システムは、液状である一つ又は複数の活性物質、例えば液状界面活性剤を担持することができ、ひいてはその細孔内部に液状活性物質を含有する送達システムを形成する。したがって、液状である一つ又は複数の活性物質は、典型的には乾燥製剤には適していないものの、ホームケア製剤は、乾燥製剤として有利に提供することができる。
【０１０２】
本発明の意味における「注ぐことが可能な液状」製剤という用語は、２３℃及び１ｂａｒで容易に注ぐことができる非ガス状流体組成物を意味する。好ましくは、注ぐことが可能な液状製剤のブルックフィールド（Ｂｒｏｏｋｆｉｅｌｄ）粘度は、２３℃で１００００ｍＰａ・ｓ未満である。例えば、注ぐことが可能な液状製剤のブルックフィールド粘度は、２３℃で１００〜１００００ｍＰａ・ｓの範囲にある。
【０１０３】
本明細書中で使用され、かつ当技術分野において一般に定義されているブルックフィールド粘度は、ディスクスピンドル３を備えたＤＶ  ＩＩＩ  Ｕｌｔｒａモデルのブルックフィールド粘度計を使用して、１分間にわたる撹拌後に１００ｒｐｍの回転速度及び室温（２３±１℃）で測定される。
【０１０４】
したがって、注ぐことが可能な液状ホームケア製剤は、好ましくは液体、ペースト、又はゲルの形態である。すなわち、送達システムは、好ましくは、溶媒、特に水中に提供され、注ぐことが可能な液状ホームケア製剤を形成する。
【０１０５】
一般的に、「液状」製剤は、２３℃で＜２０００ｍＰａ・ｓのブルックフィールド粘度を有する製剤を意味する。例えば、液体の形態をなす製剤の粘度は、２３℃で１００から＜２０００ｍＰａ・ｓ、好ましくは１５０〜１５００ｍＰａ・ｓ、そして最も好ましくは２００〜１０００ｍＰａ・ｓの範囲にある。
【０１０６】
「ゲル」又は「ペースト」は、２３℃で、＞２０００ｍＰａ・ｓのブルックフィールド粘度を有する製剤を意味する。例えば、ペーストの形態をなす液状製剤は、２３℃で、＞２０００から１００００ｍＰａ・ｓ、好ましくは３０００〜１００００ｍＰａ・ｓ、好ましくは５０００〜１００００ｍＰａ・ｓのブルックフィールド粘度を有する不透明製剤を意味する。
【０１０７】
好ましくは、ホームケア製剤は、注ぐことが可能な液状製剤の形態である。
【０１０８】
ホームケア製剤、好ましくは注ぐことが可能な液状製剤は、パウチの形態をなしていてもよい。すなわち、ホームケア製剤は、ポリマーバッグ内、例えばポリエチレン、ポリプロピレン、ポリエチレン／ポリプロピレン、ポリビニルアルコール、ポリビニルアルコール誘導体又はポリエチレンテレフタレートバッグ内に充填することができる。好ましくは、ホームケア製剤は、ポリビニルアルコール又はポリビニルアルコール誘導体から形成されたポリマーバッグ内に充填される。ポリビニルアルコール又はポリビニルアルコール誘導体の一例としては、ポリビニルアセテート又はエトキシル化ポリビニルアルコールが挙げられるが、これらに限定されない。
【０１０９】
ホームケア製剤は、好ましくは単回投与製剤の形態である。
【０１１０】
これに加えて又はこの代わりに、ホームケア製剤は、高濃縮ホームケア製剤、例えば高濃縮粉末製剤である。
【０１１１】
ホームケア製剤は、好ましくは、ホームケア製剤の総重量を基準として、０．１〜９９．０重量％、好ましくは０．１〜８０．０重量％、より好ましくは０．５〜６０．０重量％、そして最も好ましくは０．１〜４０．０重量％の量の、一つ又は複数の活性物質を放出するための送達システムを含む。
【０１１２】
ホームケア製剤は、調製されるべき製剤の種類に典型的に使用される添加剤をさらに含んでよいと理解される。
【０１１３】
「ホームケア製剤」という用語は、任意の洗浄及び清浄化プロセスのために意図され、かつ家庭用途に使用される製剤を意味する。
【０１１４】
ホームケア製剤は、好ましくは洗濯物、布地、食器、及び硬質表面を清浄化するための洗浄用製剤；予洗浄用製剤；すすぎ用製剤；漂白用製剤；洗濯布地柔軟剤製剤；清浄化用製剤；並びにこれらの混合物であってよい。
【０１１５】
本発明の意味における「洗浄」という用語は、好ましくは、洗濯物、布地、食器、及び硬質表面を清浄化することを意味する。
【０１１６】
「清浄化」という用語は、ＥＮ  ＩＳＯ  ８６２によって定義された意味を有する。
【０１１７】
本発明の意味における「予洗浄」という用語は、好ましくは、布地、例えばクロス、家庭用リネン、及びこれに類するものを浸漬することを意味する。
【０１１８】
本発明の意味における「すすぎ」という用語は、好ましくは、過剰量の水を加えることによって、水溶性物質又は水不溶性物質、例えば界面活性剤を除去することを意味する。
【０１１９】
本発明の意味における「漂白」という用語は、好ましくは、布地に酸化的漂白又は還元的漂白、及び光学増白を施すことを意味する。
【０１２０】
本発明の意味における「洗濯布地柔軟剤」という用語は、好ましくは、布地の洗浄を補完するプロセスにおいて布地の感触を改質することを意味する。
【０１２１】
方法及び使用
さらなる態様では、本発明は、ホームケア製剤における一つ又は複数の活性物質を放出するための送達システムを製造する方法に関する。
【０１２２】
ホームケア製剤における一つ又は複数の活性物質を放出するための送達システムを製造する方法は、以下の工程を含む：
（ａ）窒素及びＩＳＯ  ９２７７：２０１０に基づくＢＥＴ法を用いて測定して、≧２５ｍ２／ｇの比表面積を有する炭酸マグネシウムを提供すること、
（ｂ）液体の形態で、又は溶媒中に溶解した形態で、一つ又は複数の活性物質を提供すること、及び
（ｃ）工程（ａ）の炭酸マグネシウムを、工程（ｂ）の一つ又は複数の活性物質と接触させること。
【０１２３】
送達システム、炭酸マグネシウム、及びこれらの好ましい実施態様の定義に関しては、本発明のキャリア材料及び送達システムの技術的詳細を論じたときに上に示した記載内容が参照される。
【０１２４】
炭酸マグネシウムは、工程（ａ）において任意の好適な液状形態又は乾燥形態で提供することができる。例えば、炭酸マグネシウムは、粉末及び／又は懸濁液の形態であってよい。懸濁液は、炭酸マグネシウムと溶媒とを混合することにより得ることができる。溶媒、好ましくは水と混合されるべき炭酸マグネシウムは、任意の形態であってよく、例えば、懸濁液、スラリー、分散体、ペースト、粉末、湿潤フィルタケーキとして、あるいはプレス形態又は顆粒化形態で提供することができる。
【０１２５】
キャリア材料に高度に担持した一つ又は複数の活性物質を得るために、可能な限り濃縮された炭酸マグネシウムを提供することが有利であり、すなわち含水率は可能な限り低いことが望ましい。したがって、炭酸マグネシウムは、好ましくは乾燥形態で、すなわち粉末として提供される。
【０１２６】
炭酸マグネシウムが乾燥形態で提供される場合、炭酸マグネシウムの含水率は、炭酸マグネシウムの総重量を基準として、０．０１〜２０重量％であってよい。炭酸マグネシウムの含水率は、例えば、炭酸マグネシウムの総重量を基準として、０．０１〜１５重量％の範囲、好ましくは０．０２〜１２重量％の範囲、そしてより好ましくは０．０４〜１０重量％の範囲にあってよい。
【０１２７】
本発明の方法の工程（ｂ）によれば、一つ又は複数の活性物質は、液体の形態で又は溶媒中に溶解した形態で提供される。
【０１２８】
すなわち、一実施態様では、一つ又は複数の活性物質は、液体の形態である。一つ又は複数の活性物質に関する「液体」という用語は、非ガス状流体活性物質であって、使用圧力条件及び使用温度で、すなわち、この方法、好ましくは方法工程（ｃ）が実施される圧力及び温度で、容易に流動可能な物質を意味する。
【０１２９】
したがって、一つ又は複数の活性物質は５〜２００℃、好ましくは１０〜１２０℃、そして最も好ましくは１０〜１００℃の温度の液体であってよいと理解される。例えば、一つ又は複数の活性物質は、周囲圧力条件、すなわち大気圧で、５〜２００℃、好ましくは１０〜１２０℃、そして最も好ましくは１０〜１００℃の温度の液体であってよい。あるいは、一つ又は複数の活性物質は、減圧条件で、例えば１００〜７００ｍｂａｒで、５〜２００℃、好ましくは１０〜１２０℃、そして最も好ましくは１０〜１００℃の温度の液体であってよい。
【０１３０】
あるいは、一つ又は複数の活性物質は、溶媒中に溶解している。すなわち、一つ又は複数の活性物質と溶媒とは、溶媒中で個別の固形粒子が観察されない系を形成し、したがって、「溶液」を形成する。
【０１３１】
本発明の一実施態様では、溶媒は、水、メタノール、エタノール、ｎ−ブタノール、イソプロパノール、ｎ−プロパノール、アセトン、ジメチルスルホキシド、ジメチルホルムアミド、テトラヒドロフラン、植物油及びこれらの誘導体、動物油及びこれらの誘導体、融解脂肪及びワックス、並びにこれらの混合物を含む群から選択される。好ましくは、溶媒は、水、アルカン、エステル、エーテル、アルコール、例えばエタノール、エチレングリコール、及びグリセロール、及び／又はケトン、例えばアセトンから選択される。より好ましくは、溶媒は水である。
【０１３２】
工程（ａ）の炭酸マグネシウムと工程（ｂ）の一つ又は複数の活性物質との接触は、当業者によって知られた任意の様式で実施されてよい。接触は混合しながら行われることが好ましい。混合は、通常の混合条件下で行われてよい。当業者は、プロセス設備に応じてこれらの混合条件（例えば混合パレットの配列及び混合速度）を適合させるであろう。送達システムを形成するのに適した任意の混合法を用いることができると理解される。
【０１３３】
工程（ａ）の炭酸マグネシウムに、接触工程（ｃ）によって、工程（ｂ）の一つ又は複数の活性物質を担持させることにより、送達システムを形成するということが理解される。
【０１３４】
一つ又は複数の活性物質を乾燥炭酸マグネシウムに添加することによって、この担持を達成することができる。
【０１３５】
本発明によれば、一つ又は複数の活性物質、及び存在するならば一つ又は複数の活性物質を溶解する溶媒によって、炭酸マグネシウムの比表面積が少なくとも部分的に覆われ、かつ／又は炭酸マグネシウムの粒子内細孔容積が少なくとも部分的に充填されている場合に、この炭酸マグネシウムは、活性物質を担持していると定義される。例えば、一つ又は複数の活性物質、及び存在するならば一つ又は複数の活性物質を溶解した溶媒によって、炭酸マグネシウムの総重量を基準として、少なくとも１０重量％、好ましくは少なくとも４０重量％、より好ましくは少なくとも６０重量％、そして最も好ましくは少なくとも８０重量％、例えば少なくとも９０重量％、比表面積が少なくとも部分的に覆われ、かつ／又は炭酸マグネシウムの粒子内細孔容積が少なくとも部分的に充填されている場合に、炭酸マグネシウムは、活性物質を担持している。好ましくは、一つ又は複数の活性物質、及び存在するならば一つ又は複数の活性物質を溶解した溶媒によって、炭酸マグネシウムの総重量を基準として、１０〜３００重量％、より好ましくは少なくとも４０〜２９０重量％、さらにより好ましくは少なくとも６０〜２８０重量％、そして最も好ましくは少なくとも８０〜２６０重量％、例えば少なくとも９０〜２００重量％、比表面積が少なくとも部分的に覆われ、かつ／又は炭酸マグネシウムの粒子内細孔容積が少なくとも部分的に充填されている場合に、炭酸マグネシウムは、活性物質を担持している。
【０１３６】
方法工程（ｃ）は、一つ又は複数の活性物質が液体形態であることを条件として、幅広い温度範囲及び／又は圧力範囲にわたって実施することができることが理解される。例えば、方法工程（ｃ）は、周囲圧力条件、すなわち大気圧において、５〜２００℃、好ましくは１０〜１２０℃、そして最も好ましくは１０〜１００℃の温度範囲で実施される。あるいは、方法工程（ｃ）は、減圧条件、例えば１００〜７００ｍｂａｒにおいて、５〜２００℃、好ましくは１０〜１２０℃、そして最も好ましくは１０〜１００℃の温度範囲で実施される。
【０１３７】
一実施態様では、方法工程（ｃ）は、周囲温度及び圧力条件で、例えば室温、例えば約５〜３５℃、好ましくは１０〜３０℃、そして最も好ましくは１５〜２５℃で、かつ大気圧において実施される。この実施態様は、好ましくは、一つ又は複数の活性物質が室温で液体であるか、又は溶媒中に溶解されている場合に当てはまる。
【０１３８】
一つ又は複数の活性物質を溶媒に溶解する場合、溶媒は、好ましくは方法工程（ｃ）後に、例えば蒸発によって除去される。したがって、この実施態様では、この方法は、好ましくは、調製された送達システムを過剰の溶媒から分離するさらなる工程を含む。
【０１３９】
溶媒は、好ましくは、担持済の炭酸マグネシウムから溶媒を分離することによって除去される。このことは、好ましくは、回転炉内での乾燥、ジェット乾燥、流動床乾燥、凍結乾燥、フラッシュ乾燥、噴霧乾燥、及び温度制御式高せん断又は低せん断ミキサーを含む群から選択された手段による乾燥によって達成される。
【０１４０】
したがって、本発明による送達システムは、下記工程を含む方法によって製造することができる：
（ａ）窒素及びＩＳＯ  ９２７７：２０１０に基づくＢＥＴ法を用いて測定して、≧２５ｍ２／ｇの比表面積を有する炭酸マグネシウムを提供すること、
（ｂ）溶媒に溶解した一つ又は複数の活性物質を提供すること、
（ｃ）工程（ａ）の炭酸マグネシウムを、工程（ｂ）の一つ又は複数の活性物質と接触させること、及び
（ｄ）工程（ｃ）で形成された前記送達システムを過剰の溶媒から分離すること。
【０１４１】
この方法はさらに、所望の形状及びサイズの錠剤、ペレット、又は顆粒を得るために、工程（ｃ）又は任意の工程（ｄ）で得られた混合物を顆粒化する任意の工程（ｅ）を含んでもよい。
【０１４２】
造粒設備は、造粒目的で通常使用されている造粒設備から選択されてよい。したがって、造粒装置は、アイリッヒ（Ｅｉｒｉｃｈ）ミキサー、流動床乾燥機／造粒機、プレート造粒機、テーブル造粒機、ドラム造粒機、ディスク造粒機、ディッシュ造粒機、プラウシェア（ｐｌｏｕｇｈｓｈａｒｅ）ミキサー、垂直又は水平ミキサー、高せん断又は低せん断ミキサー、高速ブレンダー、ローラコンパクター、及び高速ミキサー造粒機を含む群から選択されてよい。
【０１４３】
なお、用いられる方法に応じて、達成されるべき顆粒サイズ又は顆粒サイズ分布に関して差異が存在してよい。
【０１４４】
例えば、造粒用流動床ミキサーは、レーディゲミキサーよりも均一な顆粒サイズ分布を提供するように思われるのに対して、レーディゲミキサーは、より広いサイズ分布をもたらす。したがって、多様なサイズ範囲を提供することができる。
【０１４５】
一実施態様では、ホームケア製剤における一つ又は複数の活性物質を放出するための送達システムを製造する方法は、以下の工程を含む：
（ａ）窒素及びＩＳＯ  ９２７７：２０１０に基づくＢＥＴ法を用いて測定して、≧２５ｍ２／ｇの比表面積を有する炭酸マグネシウムを提供すること、
（ｂ）液体の形態で、又は溶媒に溶解した形態で、一つ又は複数の活性物質を提供すること、
（ｃ）工程（ａ）の炭酸マグネシウムを、工程（ｂ）の一つ又は複数の活性物質と接触させること、
（ｄ）任意に、工程（ｃ）で形成された送達システムを過剰の溶媒から分離すること、及び
（ｅ）錠剤、ペレット、又は顆粒を得るために、工程（ｃ）又は任意の工程（ｄ）で形成された送達システムを顆粒化する工程。
【０１４６】
このキャリア材料は、活性物質のための高い担持能力を有するとともに、活性物質を担持したときに高い放出効率をも有する。したがって、ホームケア製剤における活性物質の担持特性、特に放出特性は、窒素及びＩＳＯ  ９２７７：２０１０に基づくＢＥＴ法を用いて測定して、≧２５ｍ２／ｇの比表面積を有する炭酸マグネシウムであるキャリア材料を含む送達システムを使用することによって、改善することができる。
【０１４７】
別の態様では、本発明は、このように、ホームケア製剤における一つ又は複数の活性物質を放出するための送達システムの使用に関する。
【０１４８】
この送達システム及びこの好ましい実施態様の定義に関しては、本発明の送達システムの技術的詳細を論じたときに上に示した記載内容が参照される。
【０１４９】
特に、本発明は、ホームケア製剤における一つ又は複数の活性物質を放出するための送達システムの使用に関するものであって、この送達システムは、以下を含む：
（ａ）窒素及びＩＳＯ  ９２７７：２０１０に基づくＢＥＴ法を用いて測定して、≧２５ｍ２／ｇの比表面積を有する炭酸マグネシウムからなるキャリア材料、及び
（ｂ）このキャリア材料に担持された一つ又は複数の活性物質。
【０１５０】
この送達システムは、下記式（Ｉ）によって表される、≧５０％の、一つ又は複数の活性物質の放出効率を提供する：
【数２】
2021510752.tif 000003
【０１５１】
好ましくは、送達システムは、式（Ｉ）によって表される、≧７２％の、そして最も好ましくは≧８０％の、一つ又は複数の活性物質の放出効率を提供する。
【０１５２】
この放出効率が、１５分以内、好ましくは５分以内、そして最も好ましくは１分以内に達成されることが好ましい。
【０１５３】
下記実施例は、本発明をさらに説明するものの、本発明を例示の実施態様に限定するものではない。下記実施例は、窒素及びＩＳＯ  ９２７７：２０１０に基づくＢＥＴ法を用いて測定して、≧２５ｍ２／ｇの比表面積を有する炭酸マグネシウムからなるキャリア材料を含む送達システムの、ホームケア製剤における一つ又は複数の活性物質の放出を示しており、かつこの一つ又は複数の活性物質のその改善された放出効率を示すものである。
【実施例】
【０１５４】
実施例において実行される測定法を以下に説明する。
【０１５５】
粒径分布
体積で決定されるメジアン粒径ｄ５０（ｖｏｌ）及び体積で決定されるトップカット粒径ｄ９８を、Ｈｙｄｒｏ  ＬＶシステムを備えたマルバーンマスターサイザー３０００レーザー回折システム（Ｍａｌｖｅｒｎ  Ｍａｓｔｅｒｓｉｚｅｒ  ３０００  Ｌａｓｅｒ  Ｄｉｆｆｒａｃｔｉｏｎ  Ｓｙｓｔｅｍ（Ｍａｌｖｅｒｎ  Ｉｎｓｔｒｕｍｅｎｔｓ  Ｐｌｃ．、Ｇｒｅａｔ  Ｂｒｉｔａｉｎ））を使用して評価した。ｄ５０（ｖｏｌ）値又はｄ９８（ｖｏｌ）値は、直径値であって、粒子のそれぞれ５０体積％又は９８体積％がその値未満の直径を有するような直径値を示す。粉末は０．１重量％のＮａ４Ｏ７Ｐ２溶液中に懸濁させた。１０ｍＬの０．１重量％Ｎａ４Ｏ７Ｐ２をＨｙｄｒｏ  ＬＶタンクに添加し、次いで試料スラリーを、１０〜２０％のオブスキュレーションに達するまで導入し、そしてシステムを１分間にわたって４０％設定で超音波処理した。それぞれ１０秒間にわたって赤色光及び青色光で測定を実施した。生データの分析のために、フラウンホーファー仮定を用いた非球体粒径モデルを利用し、かつ粒子屈折率１．５７、密度２．７０ｇ／ｃｍ３、及び吸収係数０．００５と仮定した。この方法及び機器は当業者に知られており、充填剤及び顔料の粒径分布を測定するために一般に用いられている。
【０１５６】
比表面積（ＳＳＡ）
比表面積は、Ｍｉｃｒｏｍｅｒｉｔｉｃｓ製のＡＳＡＰ  ２４６０機器上で吸着ガスとして窒素を用いて、ＩＳＯ  ９２７７：２０１に基づいたＢＥＴ法を介して測定した。測定前に１２０分間にわたって１００℃で加熱することにより、試料を真空（１０−５ｂａｒ）中で前処理した。
【０１５７】
粒子内圧入比細孔容積（ｃｍ３／ｇ）
比細孔容積は、０．００４μｍ（〜ｎｍ）のラプラス喉円直径と等価である水銀の最大適用圧力４１４ＭＰａ（６０  ０００ｐｓｉ）を有する、Ｍｉｃｒｏｍｅｒｉｔｉｃｓ  Ａｕｔｏｐｏｒｅ  Ｖ  ９６２０水銀ポロシメーターを使用する水銀圧入ポロシメトリー法を用いて測定した。それぞれの圧力段階で使用される平衡時間は２０秒であった。試料材料は、分析のために３ｃｍ３の粉末貫通度計チャンバ内に密封した。データは、ソフトウェアＰｏｒｅ−Ｃｏｍｐを使用して、水銀圧縮、貫通度計の膨張、及び試料材料の圧縮に対応して補正した（Ｇａｎｅ，  Ｐ．Ａ．Ｃ．，  Ｋｅｔｔｌｅ，  Ｊ．Ｐ．，  Ｍａｔｔｈｅｗｓ，  Ｇ．Ｐ．  ａｎｄ  Ｒｉｄｇｗａｙ，  Ｃ．Ｊ．，  「Ｖｏｉｄ  Ｓｐａｃｅ  Ｓｔｒｕｃｔｕｒｅ  ｏｆ  Ｃｏｍｐｒｅｓｓｉｂｌｅ  Ｐｏｌｙｍｅｒ  Ｓｐｈｅｒｅｓ  ａｎｄ  Ｃｏｎｓｏｌｉｄａｔｅｄ  Ｃａｌｃｉｕｍ  Ｃａｒｂｏｎａｔｅ  Ｐａｐｅｒ−Ｃｏａｔｉｎｇ  Ｆｏｒｍｕｌａｔｉｏｎｓ」，  Ｉｎｄｕｓｔｒｉａｌ  ａｎｄ  Ｅｎｇｉｎｅｅｒｉｎｇ  Ｃｈｅｍｉｓｔｒｙ  Ｒｅｓｅａｒｃｈ，  ３５（５），  １９９６，  ｐｐ．１７５３−１７６４）。
【０１５８】
積算圧入データ中に見られる全細孔容積は、２０８μｍから約１〜４μｍに至るまでの侵入データを有する２つの領域に分離することが、任意の凝集構造間の試料の粗い充填（パッキング）が強く寄与していることを示す。これらの直径未満では、粒子自体の微細な粒子間充填が存在する。これらの粒子が粒子内細孔をも有する場合には、この領域は二峰性であり、モード転換地点よりも微細な、すなわち二峰性の変曲点よりも微細な細孔内へ水銀が侵入した比細孔容積をもってして、比粒子内細孔容積が定義される。これらの３つの領域の和は、粉末の合計の細孔容積全体を与えるが、もともとの試料の粉末の圧縮／分布の粗い細孔末端における粉末の沈殿に強く依存する。
【０１５９】
積算侵入曲線の一次導関数を求めることにより、細孔遮蔽を必然的に含めた等価ラプラス直径に基づく細孔径分布が明らかになる。その微分曲線は、粗い凝集体細孔構造領域、粒子間細孔領域、及び存在する場合は粒子内細孔領域を明示している。粒子内細孔径範囲がわかれば、残りの粒子間細孔容積及び凝集体間細孔容積を合計細孔容積から引き算することにより、単位質量あたりの細孔容積（比細孔容積）として、内部細孔の所望の細孔容積だけを得ることができる。もちろん、同じ引き算原理は興味ある任意のその他の細孔径領域を分離する場合にも適用される。
【０１６０】
化学的酸素要求量分析
化学的酸素要求量（ＣＯＤ）分析のために、懸濁液を濾過し（Ｃｈｒｏｍａｆｉｌ  （登録商標）Ｘｔｒａ  ＲＣ−２０／２５シリンジフィルタ）、かつ分析のために十分に希釈した。Ａｑｕａｌｙｔｉｃｓ  ＣＯＤ２５０  ｖａｒｉｏ光度計においてセル試験（ＩＳＯ  １５７０５に基づく試験；非Ｍｅｒｃｋ光度計のためのＳｐｅｃｔｒｏｑｕａｎｔ（登録商標）；０〜１５００ｍｇ・Ｌ−１）を用いて、活性濃度を測定した。それぞれの試料に対して５つの測定値を求め、その結果を平均した。予め調製された標準溶液を用いた較正曲線に基づいて、試料の濃度を計算した。
【０１６１】
１．キャリア材料
ＰＨＭ−Ａ及びＰＨＭ−Ｂは、公表済の手順（例えば、Ｍ．  Ｐｏｈｌ，  Ｃ．  Ｒａｉｎｅｒ，  Ｍ．  Ｅｓｓｅｒ；  Ｏｍｙａ  Ｄｅｖｅｌｏｐｍｅｎｔ  ＡＧ，  欧州特許出願公開第２  ３２２  ５８１  Ａ１号公報参照）に基づいて、Ｏｍｙａ  Ｉｎｔｅｒｎａｔｉｏｎａｌ  ＡＧによって製造された沈降ハイドロマグネサイトである。ＭｇＣＯ３軽質（炭酸マグネシウム、軽質）及びＭｇＣＯ３重質（炭酸マグネシウム、重質）は、シグマ−アルドリッチから購入した。ドロマイト（Ｍｉｃｒｏｄｏｌ（登録商標）  ２００  ＫＮ）はＯｍｙａ  Ｉｎｔｅｒｎａｔｉｏｎａｌ  ＡＧによって供給された天然ドロマイトである。
【０１６２】
【表１】
2021510752.tif 000004
【０１６３】
２．他の材料−商品名／供給元
【０１６４】
【表２】
2021510752.tif 000005
【０１６５】
３．キャリア材料の担持
担持試験のために、１０ｇのキャリア材料を秤量してビーカー内に入れ、機械的に撹拌した。次いで、所望の量の活性溶液を、ピペットを使用して滴下した。担持処置前に固形活性物質を適切な濃度で水に溶解した。活性物質の公称担持率を下記の式（１）に従って計算した：
【数３】
2021510752.tif 000006
【０１６６】
【表３】
2021510752.tif 000007
【０１６７】
表１及び表３のデータを比較することにより、高いＢＥＴ表面積（≧２５ｍ２／ｇ）を、任意には高い粒子内圧入比細孔容積（≧０．９ｃｍ３／ｇ）と組み合わせて提供するキャリア材料は、表面積又は多孔性がより低いこれらの対応材料（試験Ｄ．１及びＥ．１）と比較して、より高い活性物質担持量（＞１００％）に適応できることが証明される。このことは、特定量の活性物質を搬送するために必要となるキャリア材料の量を低減するので、結果として技術的利点となる。
【０１６８】
４．担持済のキャリア材料（送達システム）の放出試験
放出試験に際して、指示された濃度を達成するために必要な、活性物質担持済キャリア材料の量を、１０分間にわたって室温で１Ｌの脱塩水中に分散した。続いて、一定分量を取り、上で詳述したＣＯＤ分析によって活性物質の濃度を決定した。放出効率を下記の式（ＩＩ）に従って計算した：
【数４】
2021510752.tif 000008
【０１６９】
【表４】
2021510752.tif 000009
【０１７０】
表１及び表５のデータを比較することにより、高いＢＥＴ表面積（≧２５ｍ２／ｇ）を、任意には高い粒子内圧入比細孔容積（≧０．９ｃｍ３／ｇ）と組み合わせて提供するキャリア材料が、表面積又は多孔性がより低いこれらの対応材料（試験Ｅ．１）と比較して、より高い放出効率を達成することが証明される。このことは、特定濃度の活性物質を搬送するために必要となる活性物質の量を低減するので、結果として技術的利点となる。
【国際調査報告】
2021510752.tif 000011
2021510752.tif 000012